【手続補正書】
【提出日】平成16年11月30日(2004.11.30)
【手続補正１】
【補正対象書類名】明細書
【補正対象項目名】請求項６
【補正方法】変更
【補正の内容】
【請求項６】  前記保持部材(26A、26B；126A、126B)は、当該カラーが締着される間に上記突起部(12)の背後に載置される帯片部分(10C)により該保持部材に及ぼされる圧力の影響下で実質的に前記舌状部(14；114)の平面内へと戻り得ることを特徴とする、請求項１乃至５のいずれか一つの請求項に記載のカラー。
【手続補正２】
【補正対象書類名】明細書
【補正対象項目名】請求項７
【補正方法】変更
【補正の内容】
【請求項７】  前記突起部(12)の背後に載置される前記帯片部分(10C)は前記保持部材の突出厚みを収容する手段を備えることを特徴とする、請求項１乃至５のいずれか一つの請求項に記載のカラー。
【手続補正３】
【補正対象書類名】明細書
【補正対象項目名】請求項８
【補正方法】変更
【補正の内容】
【請求項８】  前記舌状部(14；114)は、相互に向き合う当該分岐部の各内側縁部上に夫々保持タブ(26A、26B；126A、126B)を担持する２個の分岐部(34A、34B；134A、134B)により形成される分岐体形状自由端部を有することを特徴とする、請求項１乃至７のいずれか一つの請求項に記載のカラー。
【手続補正４】
【補正対象書類名】明細書
【補正対象項目名】請求項１０
【補正方法】変更
【補正の内容】
【請求項１０】  前記突起部(12)の下側にはキャビティ(28)が配備されることを特徴とする、請求項１乃至９のいずれか一つの請求項に記載のカラー。
【手続補正５】
【補正対象書類名】明細書
【補正対象項目名】請求項１２
【補正方法】変更
【補正の内容】
【請求項１２】  当該カラーは、該カラーが締着される方向を横切る方向(T)において前記突起部(12)が前記舌状部(14；114)に対して移動するのを防止すべく当該カラーが前記締着状態に在るときに前記浮彫り状案内片(40)と協働し得る繋止表面(13)を有することを特徴とする、請求項１乃至１１のいずれか一つの請求項に記載のカラー。
【手続補正６】
【補正対象書類名】明細書
【補正対象項目名】請求項１４
【補正方法】変更
【補正の内容】
【請求項１４】  当該カラーが前記締着状態に在るときに前記フック(22)を保持する前記突起部(12)の背面(30)上にて該突起部は、該突起部の下側の後退部であって当該カラーが上記締着状態に在るときに前記浮彫り状案内片(40)が少なくとも部分的(41)に係合する後退部を形成する繋止用膨出部(60)を有することを特徴とする、請求項１乃至１３のいずれか一つの請求項に記載のカラー。
【手続補正７】
【補正対象書類名】明細書
【補正対象項目名】請求項１５
【補正方法】変更
【補正の内容】
【請求項１５】  前記浮彫り状案内片(40)は、締着の間において前記舌状部に対する前記フック(22)の移動を制限すべく上記フックの自由縁部(48)とは逆となる上記フックの領域(44A)と当接して協働し得ることを特徴とする、請求項１乃至１４のいずれか一つの請求項に記載のカラー。
【手続補正８】
【補正対象書類名】明細書
【補正対象項目名】請求項１６
【補正方法】変更
【補正の内容】
【請求項１６】  前記浮彫り状案内片は打出し領域(40)により形成されることを特徴とする、請求項１乃至１５のいずれか一つの請求項に記載のカラー。
【手続補正９】
【補正対象書類名】明細書
【補正対象項目名】０００９
【補正方法】変更
【補正の内容】
【０００９】
これらの配置構成により、上記舌状部により担持された上記保持部材は当該カラーにより形成される帯片に配備された何らかの開口と協働するのではなく、上記突起部の上記自由縁部と直接的に協働する。これにより、上記突起部の直近かつ上記突起部の背後の帯片部分であって締着の間に大きな応力に委ねられる帯片部分に載置される大寸開口を有することが回避され得る。これに加えて事前係止を可能とする上で上記舌状部の長さは上記突起部を保持する上記保持部材が上記突起部の上記自由縁部に到達するに十分とされねばならないが、上記保持部材は好適には上記舌状部の上記自由縁部の直近に配備される。上記舌状部が上記突起部の背後まで延在することは、もはや必要でない。
【手続補正１０】
【補正対象書類名】明細書
【補正対象項目名】００３８
【補正方法】変更
【補正の内容】
【００３８】
図１において上記カラーは締着解除状態で示されており、フック22および突起部12は離間されている。但しそれはこの状態において閉じられており、すなわち、その内側周縁は閉塞円を形成する。内側帯片部分10は、１回転を超えて自身上に巻き上げられる。この目的のために上記舌状部は、事前係止手段により上記カラーの第2端部10Aに対して保持される。
【手続補正１１】
【補正対象書類名】明細書
【補正対象項目名】００５８
【補正方法】変更
【補正の内容】
【００５８】
この例において、突起部12および舌状部14は同一の帯片部分10の２つの端部に夫々形成されると共に、該帯片により担持されるノッチ12Cおよび浮彫り片40は例えば上記帯片部分の長手中心線LM上などの該帯片部分の長手方向において整列される。
【手続補正１２】
【補正対象書類名】明細書
【補正対象項目名】００６４
【補正方法】変更
【補正の内容】
【００６４】
打出し領域40は上記フックの基部44Aと協働することで、スタッド54が上記開口の縁部52Aに当接したなら、上記フックに対する過剰応力が該フックを傾斜させることにより且つ脚部44を帯片20の通常部分に取付ける折曲部を“伸ばす”ことによりフックが塑性的に変形されてフックの幾何学形状が不可逆的に変化され且つ係止特性が悪影響を受けること、は確実に無くなる。
【手続補正１３】
【補正対象書類名】明細書
【補正対象項目名】００６５
【補正方法】変更
【補正の内容】
【００６５】
上記カラーが締着される間、突起部12は上述の様式で舌状部14上を移動する。打出し領域40によればこの相対移動は、少なくとも上記突起部が上記フックの近傍に到達したときに効率的に案内され得る。ノッチ12Cの故に、上記突起部の自由縁部は打出し領域40に跨ることで、上記舌状部および突起部が帯片部分10の長手方向を横切る方向Tにおいて相互に対して移動するのが防止される。当然ながら上記ノッチの高さおよび幅の寸法は、少なくとも実質的に上記打出し領域のものに等しい。
【手続補正１４】
【補正対象書類名】明細書
【補正対象項目名】００６９
【補正方法】変更
【補正の内容】
【００６９】
それ自体公知の手法で、上記突起部の頂面12Bによれば掛止の間において上記フックは上記突起部に対して案内され得る。この目的のために上記フックの自由縁部48自体は中央部分に載置されたノッチ49を備え、すなわち、該ノッチは実質的に上記突起部におけるノッチ12Cと整列される。ノッチ12Cの頂点において該ノッチの縁部13は、上記フックのノッチ49が係合する突出部13'を形成すべく僅かに隆起される。上記フックの自由縁部上の２つの分岐部48Aおよび48Bであって該フックにおける中央ノッチ49の各側に残存する分岐部48Aおよび48Bは、突出部13'の各側にて上記突起部の頂面12Bにより案内されるべく上記フックの基部44Aに向けて僅かに傾斜される。
【手続補正１５】
【補正対象書類名】明細書
【補正対象項目名】００７７
【補正方法】変更
【補正の内容】
【００７７】
舌状部114は、その外周縁から後退された凹所135を備える。該凹所は上記舌状部の中央部分にて延在すると共に、該凹所の深度は、端部110Aから離間する切欠134の縁部を形成する該凹所の端部135Aから、上記カラーの外周縁と面一となってゼロに至るまで漸進的に減少する深度を有する。
【手続補正１６】
【補正対象書類名】明細書
【補正対象項目名】００８０
【補正方法】変更
【補正の内容】
【００８０】
図８において、事前係止位置における突起部12の位置は点線で示され、上記折戻しタブは保持タブの下側に保持されている。上記凹所の最大深度Pは上記帯片の厚みEの1.4倍から該厚みの2倍の範囲に在ると共に、上記舌状部の外周縁に対して保持タブ126A、126Bが突出する範囲Nは殆ど実質的に上記厚みEに等しいことが観察され得る。